(57)【特許請求の範囲】
【請求項１】
ハウジング、前記ハウジング内部に回転可能に装着されるリール（ｒｅｅｌ）、前記ハウジングのスリットを通じて引き出されるブレード（ｂｌａｄｅ）、及び前記ブレード端部に装着されるエンドフック（ｅｎｄ  ｈｏｏｋ）を有する巻き尺において、
前記ハウジングの側面に固定される固定板、及び前記固定板とＵ型に形成された接続部品で接続され、前記固定板の側面を覆うクリップ板を含むカンチレバークリップ（ｃａｎｔｉｌｅｖｅｒ  ｃｌｉｐ）、並びに、前記ハウジングまたは前記カンチレバークリップに回転可能に装着される回転式カラビナを有し、
前記クリップ板が、前記固定板と連結される固定端、前記固定端に対向する自由端、及び前記自由端の近傍に溝（ｇｒｏｏｖｅ）を含み、
前記回転式カラビナが、回転軸と、縦バー及び前記回転軸に対向する横バーを有する回転胴体とを有し、
片側の前記縦バーが、前記回転式カラビナが開いた状態において開口する開口部、及び前記回転式カラビナが開いた状態において前記開口部の内側方向に回転可能な回転片を有し、
前記回転式カラビナが閉じた状態においては、前記回転式カラビナの前記横バーの３面が前記クリップ板の前記溝に収容され、前記回転式カラビナ及び前記クリップ板が一体化し、前記回転式カラビナの前記回転片が前記クリップ板の側面により前記開口部の内側方向への回転が制限されることを特徴とする回転式カラビナを有する巻き尺。
【請求項２】
前記回転式カラビナの前記横バー及び前記クリップ板の前記溝が、滑らかに形成されて、前記ハウジング及び前記回転式カラビナの間に挿入される外部構造物の挿入を容易にすることを特徴とする請求項１に記載の回転式カラビナを有する巻き尺。
【請求項３】
前記回転式カラビナが閉じた状態において、前記カンチレバークリップ及び前記回転式カラビナが同一外面を形成することを特徴とする請求項１から２のいずれかに記載の回転式カラビナを有する巻き尺。
【発明の詳細な説明】
【技術分野】
【０００１】
本発明は、基本的にベルトやロープなどのようなライン形態の外部構造物に装着可能なクリップを有する巻き尺に関するものであり、より詳しくは、クリップの装着範囲制限を越えて多様な外部構造物に簡便に装着することができる巻き尺に関するものである。
【背景技術】
【０００２】
一般な巻き尺はハウジング内部に弾性支持されるボビン（ｂｏｂｂｉｎ）にブレード（ｂｌａｄｅ）がコイル形態で巻かれて内蔵される。ブレードの端部にはエンドフック（ｅｎｄ  ｈｏｏｋ）が結合されている。エンドフックはハウジングのスロットで露出されて、エンドフックを利用してブレードの引き出しが可能で、引き出されたブレードは再びスプリングの弾性によってハウジング内部に巻き込まれることがある。
通常に携帯用巻き尺は、ベルトやロープ、薄い壁の上端などに巻き尺をかけておくための装着用クリップを具備して、大韓民国登録実用新案公報２０−０２５６７０８（登録番号）に上述した巻き尺用ベルトクリップが開示される。また、ベルトクリップは変形された“Ｒ”字形状のスプリングと同じ素材で提供されることができるが、登録実用新案公報２０−０２５６７０８（登録番号）に開示される巻き尺のベルトクリップが前記形状で提供される。
但し、ベルトクリップを有する巻き尺は、ベルトなどのようなライン形状の外部構造物や薄い厚さの板などのみに装着が可能な装着範囲の制限が従う。
【発明の概要】
【発明が解決しようとする課題】
【０００３】
本発明は、ベルトやロープなどで制限される装着範囲を乗り越えることができる回転式掛けがね部材を有する巻き尺を提供する。
【課題を解決するための手段】
【０００４】
前述した本発明の目的らを達成するための本発明の望ましい一実施例によれば、ハウジング、ハウジング内部に回転可能に装着されるリール（ｒｅｅｌ）、ハウジングのスリットを通じて引き出されるブレード（ｂｌａｄｅ）、及びブレード端部に装着されるエンドフック（ｅｎｄ  ｈｏｏｋ）を有する巻き尺が開示され、前記巻き尺は、ハウジングの側面に固定される固定端及び固定端に対応する自由端を有するカンチレバークリップ（ｃａｎｔｉｌｅｖｅｒ  ｃｌｉｐ）と、及びハウジングまたはカンチレバークリップに旋回可能に装着されて閉鎖状態から開放状態に転換される回転胴体を有する回転式掛けがね部材を含むことができるし、閉鎖状態でハウジングを基準に回転胴体の少なくとも一部がカンチレバークリップ上部でカンチレバークリップによって支持されることで、回転式掛けがね部材はハウジング及びカンチレバークリップの間に進入する外部構造物によってカンチレバークリップと共にハウジングの側面から遊隙されることができる。
【０００５】
回転式掛けがね部材の閉鎖状態とは、カラビナのようなリング形態やＣ−字形掛けがね形態で提供されることができる回転式掛けがね部材がカンチレバークリップ及びハウジングの側面に隣接または密着配置されている状態を指称する。また、回転式掛けがね部材の開放状態とは、回転式掛けがね部材が旋回してカンチレバークリップ及びハウジングの側面から遊隙された状態を指称することができる。
また、回転胴体の少なくとも一部がカンチレバークリップ上部でカンチレバークリップによって支持されるという意味は、閉鎖状態でハウジングを基準に回転胴体及びカンチレバークリップが上下で少なくとも一部乃至全体が重ねられている状態を包括的に指称することができるし、リング形態やＣ−字形掛けがね形態の回転胴体に連結される別個の突き出構造物がカンチレバークリップと上下で重なっている場合も前記突き出構造物を回転胴体の一部で理解して回転胴体の少なくとも一部がカンチレバークリップ上部でカンチレバークリップによって支持されることで理解することができる。
【０００６】
要するに、回転胴体がカンチレバークリップと一部乃至全体が重ねられた状態で提供されることで、回転式掛けがね部材の開放及び閉鎖状態と無関係に回転式掛けがね部材はハウジング及びカンチレバークリップの間に進入する外部構造物によってカンチレバークリップと共にハウジングの側面から遊隙されることができる。
【０００７】
例えば、回転胴体がハウジングまたはカンチレバークリップに旋回可能に装着される縦バー及び縦バーを連結する横バーを含んで、カンチレバークリップの自由端がハウジングを基準に上部に向けて開放されるグルーブ(ｇｒｏｏｖｅ)を形成するように屈曲提供される場合、回転胴体の閉鎖状態でグルーブに挿入される横バーはグルーブに挿入された状態で流動することができる。
場合によって、縦バーがカンチレバークリップによって支持されることができるように縦バーをカンチレバークリップの外側縁内側に提供することもでき、縦バーをカンチレバークリップ外側に提供して、横バーをカンチレバークリップ内側に提供して、横バーがカンチレバークリップによって支持されることができる。
【０００８】
一方、前で説明したようにカンチレバークリップと回転式掛けがね部材の回転胴体が上下で交差する領域を形成する場合、前記交差する領域上に配置される回転式掛けがね部材を指で把持するのに不便なことがある。これに前記交差する領域に接する前記カンチレバークリップを貫通するか、または上面が陷沒される把持部を形成することができるし、使用者は前記把持部を通じて回転式掛けがね部材を指でかけて旋回させることができる。
【０００９】
前述した本発明の目的らを達成するための本発明の望ましい他の実施例によれば、巻き尺はカンチレバークリップ及び回転式掛けがね部材を含むことができるし、回転胴体はカンチレバークリップの外側縁に沿って形成されることができる。
回転胴体がカンチレバークリップの外側縁に沿って形成されるという意味は、回転胴体がカンチレバークリップの上部でカンチレバークリップに支持されることと無関係に、回転胴体の輪郭がカンチレバークリップの外側縁（外郭）に沿って並んで形成されるという意味を含むことができる。よって、回転胴体がカンチレバークリップの外側でカンチレバークリップをカバーする場合及び内側に配置される場合がすべて含まれることができるし、回転胴体の内側縁の少なくとも一部がカンチレバークリップの外側縁と相互密接（密着）または分離状態で提供されることも可能である。
【００１０】
一方、前で言及したとおりに回転胴体の少なくとも一部がカンチレバークリップ上部でカンチレバークリップによって支持されることもできる。
例えば、回転式掛けがね部材の閉鎖状態で縦バーはカンチレバークリップ外側縁から分離提供されて、横バーの少なくとも一部がカンチレバークリップ上部でカンチレバークリップによって支持されることができるし、この時回転式掛けがね部材の横バーはカンチレバークリップに形成されるグルーブに挿入されることもできる。
【００１１】
また、前述した本発明の目的らを達成するための本発明の望ましいまた他の実施例によれば、巻き尺はカンチレバークリップ及び回転式掛けがね部材を含むことができるし、回転式掛けがね部材の自由端のチップは禿びて鋭くなく（ｂｌｕｎｔ）形成され、ハウジング及び回転式掛けがね部材の間に進入する外部構造物の進入を容易にすることができる。
特に、回転式掛けがね部材の自由端を禿びて鋭くなく形成することで、回転式掛けがね部材の閉鎖状態でもハウジング及びカンチレバークリップの間に外部構造物が容易に進入することができる。ここで、禿びて鋭くないという意味は前記チップが傾いている構造で理解することができるし、他には、ふくらんでいる構造で理解することができる。
【００１２】
回転胴体の端部が禿びて鋭くない巻き尺でも回転胴体は、カンチレバークリップの外側縁に沿って形成されることができるし、例えば、カンチレバークリップの外側縁の少なくとも一部が回転胴体の内側縁と密接であるか、または分離された状態で提供されることができる。また、回転胴体の一部がカンチレバークリップ上に支持されることもできる。
また、前述した本発明の目的らを達成するための本発明の望ましいまた他の実施例によれば、巻き尺はカンチレバークリップ及び回転式掛けがね部材を含むことができるし、回転式掛けがね部材の閉鎖状態でカンチレバークリップ及び回転式掛けがね部材は同一外面を形成することができる。
【００１３】
回転式掛けがね部材の外面は、カンチレバークリップの外面と共に同一な外面を形成することで、外部で可視されるカンチレバークリップと回転式掛けがね部材が形成する外面が滑らかで商品価値を高めることができる。
また、回転式掛けがね部材及びカンチレバークリップの外面が同一外面を有する場合にも、回転胴体はカンチレバークリップの外側縁に沿って少なくとも一部がカンチレバークリップと密接または分離された状態で提供されることができるし、回転式掛けがね部材の自由端チップを禿びて鋭くなく提供することができる。
【００１４】
特に、回転胴体とカンチレバークリップ全体が密着されている場合にはその外面全体にかけて商号やデザインのための印刷が可能であり、前記印刷の部分的な短絡が発生しない。
また、回転胴体の一部がカンチレバークリップ上面に支持されることができるが、回転胴体の横バーをカンチレバークリップグルーブに配置することで、横バーの上面及びカンチレバークリップの上面が同一外面を形成することができる。
【００１５】
また、前述した本発明の目的らを達成するための本発明の望ましいまた他の実施例によれば、巻き尺はカンチレバークリップ及び回転式掛けがね部材を含むことができるし、開放状態でハウジング外側でハウジング側面を向けて可視される回転式掛けがね部材は少なくとも一支点でハウジングの側面境界を交差することができる。
【００１６】
すなわち、回転式掛けがね部材の一部がハウジングの側面境界を脱するため釘のような外部構造物が回転式掛けがね部材の内側領域を貫通することができるし、特に、前記内側領域を横切る外部構造物はハウジングに干渉を受けないため外部構造物の長さと無関係に巻き尺をかけて配置することができる。
【発明の効果】
【００１７】
従来のベルトクリップのみを具備する巻き尺の場合、ベルトやロープ、薄い壁の上端のような外部構造物で巻き尺の装着範囲が制限的であるが、本発明の巻き尺は回転式掛けがね部材を利用して外部構造物の厚さに大きい制限なしに巻き尺をかけておくことができる。
【００１８】
また、本発明の巻き尺によれば、回転胴体の一部がカンチレバークリップ上部でカンチレバークリップによって支持されることで、回転式掛けがね部材はハウジング及びカンチレバークリップの間に進入する外部構造物によってカンチレバークリップと共にハウジングの側面から遊隙されることができる。特に、カンチレバークリップの自由端に形成されるグルーブに回転胴体の横バーを挿入設置して横バーがカンチレバークリップより上部に突き出されることを防止することができるし、よりコンパクト（ｃｏｍｐａｃｔ）な製品を提供して保管の便宜や美観上の商品価値を高めることができる。
【００１９】
また、本発明の巻き尺によれば、回転胴体はカンチレバークリップの外側縁に沿って形成されてカンチレバークリップの鋭い縁を仕上げする機能を提供して、回転胴体を利用した多様なデザイン変更が可能である。
【００２０】
また、本発明の巻き尺によれば、回転式掛けがね部材の自由端チップを禿びて鋭くなく形成することで、ハウジング及び回転式掛けがね部材の間に進入する外部構造物の進入を容易にする。
【００２１】
また、本発明の巻き尺によれば、回転式掛けがね部材の閉鎖状態でカンチレバークリップ及び回転式掛けがね部材の外面が同一外面を形成して、滑らかな前記同一外面を通じて商品価値を高めることができるし、その外面に印刷される商号やデザインなどが屈曲なしにこぎれいで提供されることができる。
【００２２】
また、本発明の巻き尺によれば、回転式掛けがね部材の開放状態で回転式掛けがね部材の掛けがね領域がハウジング側面境界を離れるため釘のような外部構造物に巻き尺を幅方向にかけて配置することが容易であり、掛けがね領域に釘が貫通配置されて外部構造物の長さと無関係に巻き尺をかけて配置することができる。
【図面の簡単な説明】
【００２３】
【図１】図１は、本発明の一実施例による巻き尺の閉鎖及び開放状態の斜視図である。
【図２】図２は、本発明の一実施例による巻き尺の閉鎖及び開放状態の斜視図である。
【図３】図３には、回転式掛けがね部材の開放状態でハウジングの外郭を交差する回転胴体が示される。
【図４】図４及び図５には、お互いに異なる回転式掛けがね部材が示される。
【図５】図４及び図５には、お互いに異なる回転式掛けがね部材が示される。
【図６】図６及び図７は、一緒に流動する回転式掛けがね部材及びカンチレバークリップを説明するための図面である。
【図７】図６及び図７は、一緒に流動する回転式掛けがね部材及びカンチレバークリップを説明するための図面である。
【図８】図８には、お互いに異なる実施例による巻き尺の正面及び側面図が示される。
【図９】図９には、お互いに異なる実施例による巻き尺の正面及び側面図が示される。
【図１０】図１０には、お互いに異なる実施例による巻き尺の正面及び側面図が示される。
【図１１】図１１には、お互いに異なる実施例による巻き尺の正面及び側面図が示される。
【図１２】図１２は、図１１の巻き尺の断面図である。
【発明を実施するための形態】
【００２４】
以下、添付された図面らを参照して本発明の望ましい実施例を詳細に説明するが、本発明が実施例によって制限されるか、または限定されるものではない。参照で、本説明で同一な番号は実質的に等しい要素を指称して、前記規則下で他の図面に記載された内容を引用して説明することができるし、当業者に自明であると判断されるか、または繰り返される内容は省略されることができる。
【００２５】
図１及び図２は、本発明の一実施例による巻き尺の閉鎖及び開放状態の斜視図である。図３には回転式掛けがね部材の開放状態でハウジングの外郭を交差する回転胴体が示されて、図４及び図５にはお互いに異なる回転式掛けがね部材が示される。図６及び図７は、一緒に流動する回転式掛けがね部材及びカンチレバークリップを説明するための図面である。
【００２６】
一般に巻き尺は長さを測定のための道具であり、ハウジング内側に回転可能にリールが装着されて、リールに巻かれるブレードはハウジングで開口役割をするスリットを通じて引き出される。そして、ブレードの端部にはエンドフックが装着されることができるし、基本的な巻き尺の構成及びこれに対する説明は大韓民国登録実用新案公報２０−０２５６７０８（登録番号）及び登録実用新案公報２０−０２５６７０８（登録番号）などを参考することができる。
【００２７】
図１乃至図７を参照すれば、本実施例の巻き尺１００も基本的に上述したハウジング１０２、リール、ブレード、及びエンドフック１０４を含んで、巻き尺１００を外部構造物に装着することができるカンチレバークリップ１１０及び回転式掛けがね部材１２０を含む。
本実施例の巻き尺１００は、上述した巻き尺の本然の長さの測定の機能を有しながら、従来のクリップ構造の装着手段が有する装着範囲の制限を乗り越えることができる解決方法を提示する。
【００２８】
図１には回転式掛けがね部材１２０が閉まっている状態が示されて、回転式掛けがね部材１２０の閉鎖状態で回転式掛けがね部材１２０の底面は、カンチレバークリップ１１０及びハウジング１０２の側面に隣接または密着されている。
図２に示されるように、カンチレバークリップ１１０を利用してベルトのような外部構造物に巻き尺１００の装着が可能である。但し、釘のような外部構造物にカンチレバークリップ１１０を利用した巻き尺の装着は難しくて、この時回転式掛けがね部材１２０を開放状態に転換させて巻き尺１００の装着に利用することができる。
【００２９】
図２には回転式掛けがね部材１２０が開かれている状態が示されて、回転式掛けがね部材１２０の開放状態では回転式掛けがね部材１２０が旋回されてその底面が上部に向ける。
参照で、本明細書でハウジングを基準にカンチレバークリップが配置される方向を上部と指称して、前で言及される上下方向、及び上面や底面も前記方向を基準に決める。
【００３０】
図３を参照すれば、回転式掛けがね部材１２０が開かれている状態でハウジング１０２外側でハウジング１０２方向に見える回転式掛けがね部材１２０は少なくとも一支点でハウジング１０２の側面境界を交差する。具体的に、本実施例で回転式掛けがね部材１２０は２個支点（Ｐ１、Ｐ２）でハウジング１０２の側面境界（Ｌ）を交差する掛けがね形状で提供される。
前述したように開放状態で回転式掛けがね部材１２０の内側領域（ａ）一部がハウジング１０２の側面境界（Ｌ）を脱して、これに釘のような外部構造物に巻き尺１００を幅方向にかけて配置しやすい。特に、前記内側領域（ａ）を横切る外部構造物がハウジング１０２に干渉を受けないため外部構造物の長さと構わなく巻き尺１００をかけて配置することができる。
【００３１】
回転式掛けがね部材１２０は、図３に示されるように、２個の支点（Ｐ１、Ｐ２）でハウジング１０２の側面境界（Ｌ）を交差するリング形態で提供されることもできるが、複数の支点を交差するジグザグ（ｚｉｇｚａｇ）形態で提供されることも可能であり、回転胴体は内側領域を横切る外部構造物がハウジングに干渉を受けない範囲内で多様な形態で提供されることができる。
また、回転式掛けがね部材１２０は、図４に示されるように、回転胴体１３０の内側領域を一時的に開放することができる回転片１２１を含むカラビナ形態で提供されることができるし、図５に示されるように、一部が常時開放される開口１２３を有するＣ−字形掛けがね形態の回転胴体１３０を含むこともできる。
【００３２】
以下、図６及び図７を参照してカンチレバークリップ１１０を利用してベルトのような外部構造物１０に巻き尺１００を装着する過程及び前記過程でカンチレバークリップ１１０と共に流動する回転式掛けがね部材１２０を説明する。
【００３３】
図６に示されるように、回転胴体１３０はカンチレバークリップ１１０の固定端１１２に隣接したハウジング１０２に回転軸１２２を置いて、回転可能に装着される。
参照で、縦バー１３２と共に回動する回転軸１２２はその下部に配置される支持片１１９によって弾性的に支持される。また、回転軸１２２の断面は楕円形状で提供されて自由な回転が制限されて、一定以上の力が加えられて閉鎖及び開放状態に転換されることができるし、一定角度(本実施例ではハウジングに垂直した状態で回転軸の長径配置される場合)を基準に開放状態や閉鎖状態への方向のみを決めれば、回転胴体が開放や閉鎖状態に自動転換されることができる。
【００３４】
また、本実施例で回転胴体１３０は略板形で提供されるが、場合によって、ハウジングに回転結合される回転胴体部分がハウジングを向けて突き出されるクリップ形状で提供されて、ハウジングとはクリップスプリングを通じて回転可能に結合されることもできる。例えば、大韓民国公開実用新案（公開番号２０−２００９−０００６１６８）に開示されるクリップ体２０形状で提供されることができる。また、ハウジングも回転胴体に向けて突き出される形状で提供されることも可能であり、例えば、大韓民国登録実用新案公報（登録番号２０−０２０３５０３）に開示される結合開放装飾１形状のようにハウジングと回転胴体がお互いに向けて突き出された形状で提供されることができる。
また、カンチレバークリップ１１０の固定端１１２はハウジング１０２に装着されて、固定端１１２に対応する自由端１１４はハウジング１０２の側面に少しの隙間を置いて接しているし、外部構造物１０の進入が容易であるように上部に屈折されている。
【００３５】
外部構造物１０をカンチレバークリップ１１０及びハウジング１０２の間に配置して巻き尺１００を外部構造物１０に装着することができるし、このために外部構造物１０をカンチレバークリップ１１０の自由端１１４とハウジング１０２との間に進入させることができる。前記進入過程が図７に示される。
図７を参照すれば、カンチレバークリップ１１０の自由端１１４とハウジング１０２との間に進入する外部構造物１０によって金属材質や弾性を有する合成樹脂材質のカンチレバークリップ１１０がハウジング１０２の側面から上部に遊隙される。
【００３６】
一方、回転式掛けがね部材１２０の閉鎖状態で回転式掛けがね部材１２０はカンチレバークリップ１１０に支持されている。具体的に、回転胴体１３０はハウジング１０２に旋回可能に装着される縦バー１３２及び縦バー１３２を連結する横バー１３４を含んで、カンチレバークリップ１１０の自由端１１４はハウジング１０２を基準に上部に向けて開放されるグルーブ１１６を形成するように屈曲されている。横バー１３４はグルーブ１１６に挿入された状態でカンチレバークリップ１１０に支持されて、回転式掛けがね部材１２０は外部構造物１０の進入によって上部に遊隙されるカンチレバークリップ１１０と共に流動することができる。
前述したように回転式掛けがね部材１２０と共に流動するようにカンチレバークリップ１１０を設置することで、回転式掛けがね部材１２０の開放や閉鎖状態と無関係にカンチレバークリップ１１０を利用した巻き尺１００の装着が可能である。
【００３７】
参照で、本実施例で回転式掛けがね部材１２０の一端がハウジング１０２に旋回可能に装着されるが、場合によって回転式掛けがね部材はカンチレバークリップの自由端に旋回可能に装着されることもできる。
【００３８】
また、図１乃至図７に示される本実施例の巻き尺１００を詳しく見れば、回転式掛けがね部材１２０の閉鎖状態でカンチレバークリップ１１０及び回転式掛けがね部材１２０は同一外面を形成する。
回転式掛けがね部材１２０とカンチレバークリップ１１０が共に同一な外面を形成することで、滑らかな外面を通じて商品価値を高めることができる。
また、回転胴体１３０はカンチレバークリップ１１０の輪郭に対応して形成されるが、縦バー１３２はカンチレバークリップ１１０の外側縁と密接する。
【００３９】
一方、回転胴体１３０の横バー１３４がカンチレバークリップ１１０の上面に支持されて回転式掛けがね部材１２０とカンチレバークリップ１１０が共に流動できるようにしながら、横バー１３４がカンチレバークリップ１１０のグルーブ１１６に配置されて回転胴体１３０がカンチレバークリップ１１０上部に配置されるにも横バー１３４の上面がカンチレバークリップ１１０の上面と同一外面を形成することができる。
すなわち、回転式掛けがね部材１２０の外面をカンチレバークリップ１１０の外面と一致させて、閉鎖状態で回転式掛けがね部材１２０の内側縁とカンチレバークリップ１１０の外側縁を密着させて回転式掛けがね部材１２０及びカンチレバークリップ１１０の外面全体にかけて商号やデザインのための印刷が可能である。
【００４０】
一方、図８に示される巻き尺１００で回転胴体１３０の横バー１３４及び縦バー１３２はカンチレバークリップ１１０の外側縁と並んで形成されるが、縦バー１３２はカンチレバークリップ１１０の外郭と離隔状態で配置される。これは回転式掛けがね部材１２０の内側領域を拡張してより大きい外部構造物に装着する必要がある時に応用されることができる。
また、図８に示される巻き尺も以前の実施例の巻き尺と同じくカンチレバークリップ及び回転式掛けがね部材の外面が同一外面を形成して、カンチレバークリップの自由端に設けられるグルーブに回転式掛けがね部材の横バーが挿入支持される。
【００４１】
参照で、図８乃至図１１に示される巻き尺の各構成要素や説明は以前の実施例を参考することができるし、お互いに同一な構成要素に対する番号も説明や理解の便宜のために同一に使用する。
【００４２】
また、図９に示される巻き尺１００は横バー１３４及び縦バー１３２がカンチレバークリップ１１０の外郭に沿って形成されるが、カンチレバークリップ１１０に別途のグルーブが形成されない状態で横バー１３４をカンチレバークリップ１１０の上面に配置する。
また、図１０に示される巻き尺１００で回転式掛けがね部材１２０の自由端チップ１３６は禿びて鋭くなく（ｂｌｕｎｔ）形成されてハウジング１０２及び回転式掛けがね部材１２０の間に進入する外部構造物の進入が容易である。
このような場合にも回転胴体１３０は以前の実施例に言及されたように、カンチレバークリップ１１０の外側縁に沿って形成されることができる。具体的に、縦バー１３２はカンチレバークリップ１１０と密接に供されて、横バー１３４はカンチレバークリップ１１０と分離状態で提供される。
【００４３】
但し、回転胴体１３０はたとえカンチレバークリップ１１０上に支持されないが、禿びて鋭くなく形成される回転式掛けがね部材１２０の自由端を通じて回転式掛けがね部材１２０が閉鎖状態にあってもハウジング１０２及びカンチレバークリップ１１０の間に外部構造物が易しく進入することができる。
【００４４】
参照で、本実施例で回転胴体１３０及びカンチレバークリップ１１０の上面は同一外面を形成しない。但し、これはデザイン上の選択事項で以前の実施例のように回転胴体及びカンチレバークリップの上面が同一外面を形成するように変更することも可能である。
また、図１１に示される巻き尺１００で回転式掛けがね部材１２０の縦バー１３２及び横バー１３４はすべてカンチレバークリップ１１０の内側に配置される。
【００４５】
但し、このような場合使用者が回転式掛けがね部材１２０を閉鎖状態から開放状態に転換させ難い。これに、カンチレバークリップ１１０と回転式掛けがね部材１２０の回転胴体１３０が上下に交差する領域周辺に貫通ホール１１５を形成する。使用者は貫通ホール１１５を通じて回転式掛けがね部材１２０を指でかけて容易に旋回させることができる。本実施例で貫通ホールは横バー１３４周辺に形成されるが、その位置は縦バー１３２周辺でも可能であり、個数も制限的ではない。
【００４６】
一方、下の図１２(ａ)及び図１２(ｂ)は、図１１に示される巻き尺が有することができるお互いに異なる断面構造を示す。
図１２(ａ)を詳しく見れば、回転式掛けがね部材１２０の形状に対応してカンチレバークリップ１１０には配置ホール１１７が形成されて、回転式掛けがね部材１２０は配置ホール１１７に位置する。すなわち、回転式掛けがね部材１２０はカンチレバークリップ１１０の内側に提供されるが、カンチレバークリップ１１０に支持されない。
そして、カンチレバークリップ１１０及び回転式掛けがね部材１２０は、同一外面を形成して、それと共に回転式掛けがね部材１２０とカンチレバークリップ１１０の縁全体が密着されていてカンチレバークリップ１１０と回転式掛けがね部材１２０が提供する外面全体にかけて商号やデザインのための印刷をする場合、前記印刷に部分的な短絡が発生しない。
【００４７】
図１２(ｂ)を詳しく見れば、回転式掛けがね部材１２０はカンチレバークリップ１１０の内側に提供されて、それと共にカンチレバークリップ１１０に支持される。よって、回転式掛けがね部材１２０は回転式掛けがね部材１２０の同時流動が可能である。
一方、カンチレバークリップ１１０及び回転式掛けがね部材１２０は同一外面を形成しないが、これは回転式掛けがね部材１２０の厚さを薄くするか、またはカンチレバークリップ１１０に形成された回転式掛けがね部材１２０を安着させる安着溝１１８の深さを調節してカンチレバークリップ１１０及び回転式掛けがね部材１２０の外面を一致させることができる。
【００４８】
前述したように、本発明の望ましい実施例を参照して説明したが、該当技術分野の熟練された当業者なら、下記の請求範囲に記載された本発明の思想及び領域から脱しない範囲内で本発明を多様に修正及び変更させることができることを理解することができるであろう。
【産業上の利用可能性】
【００４９】
以上説明したように、本発明による巻き尺は、長さ測定のための用途で広く使われることができる。
【図１】
0006338699.tif 000002
【図２】
0006338699.tif 000003
【図３】
0006338699.tif 000004
【図４】
0006338699.tif 000005
【図５】
0006338699.tif 000006
【図６】
0006338699.tif 000007
【図７】
0006338699.tif 000008
【図８】
0006338699.tif 000009
【図９】
0006338699.tif 000010
【図１０】
0006338699.tif 000011
【図１１】
0006338699.tif 000012
【図１２】
0006338699.tif 000013